(57)【特許請求の範囲】
【請求項１】
便器使用者に向けて冷風を吹出すための冷風吹出口と、
該冷風吹出口に連なる第１のダクトと、
該第１のダクト内に冷熱面を配置した熱電変換素子と、
該第１のダクトに通風させるための第１の送風機と、
該熱電変換素子の放熱面が内部に配置されており、通風口をトイレルームに臨ませている第２のダクトと、
該第２のダクトに通風させるための第２の送風機と
を有するトイレ用空調機であって、
前記第２のダクトにエアヒータが設けられており、
前記通風口は足許暖房用の温風吹出口となっており、前記第１及び第２の送風機を駆動し、前記熱電変換素子に通電し、エアヒータは非通電とする冷房運転と、
前記第２の送風機を駆動し、前記エアヒータに通電する暖房運転とを切り替える手段を備えたことを特徴とするトイレ用空調機。
【請求項２】
請求項１において、ダクトがロータンクカバー内を上下方向に延設されており、該ダクトの高さ方向の途中に空気取入口が開口しており、該ダクト内に該空気取入口に隣接して前記熱電交換素子が設けられており、
該ダクトのうち該熱電交換素子よりも上側が前記第１のダクトとなり、該ダクトのうち該熱電交換素子よりも下側が前記第２のダクトとなっており、
前記冷風吹出口が手洗鉢に設けられ、該冷風吹出口に該第１のダクトの上端が連なっており、
該第２のダクトの下端が前記温風吹出口に連なっており、
冷房運転において、前記の冷房運転と暖房運転とを切り替える手段が、該第１及び第２の送風機を駆動し、前記熱電変換素子に通電し、エアヒータを非通電とすることにより、該冷風吹出口から冷風が吹出し、
暖房運転において、該冷房運転と暖房運転とを切り替える手段が、該第２の送風機を冷房運転のときとは逆通風方向に駆動し、該エアヒーターに通電することにより、該温風吹出口から温風が吹出すことを特徴とするトイレ用空調機。
【請求項３】
便器使用者に向けて冷風を吹出すための冷風吹出口と、
該冷風吹出口に連なる第１のダクトと、
該第１のダクト内に冷熱面を配置した熱電変換素子と、
該第１のダクトに通風させるための第１の送風機と、
該熱電変換素子の放熱面が内部に配置されており、通風口をトイレルームに臨ませている第２のダクトと、
該第２のダクトに通風させるための第２の送風機と
を有するトイレ用空調機であって、
前記第２のダクトにエアヒータが設けられており、
前記通風口は手の乾燥用の吹出口及び空気の取入口を兼ねており、
前記第１及び第２の送風機を駆動し、前記熱電変換素子に通電し、エアヒータは非通電とし、前記冷風吹出口から冷風を吹出し前記通風口からは空気を取入れる冷房運転と、
前記第２の送風機を冷房運転のときとは逆通風方向に駆動し、前記エアヒータに通電し、前記通風口から温風を吹出す手乾燥運転とを切り替える手段を備えたことを特徴とするトイレ用空調機。
【請求項４】
請求項３において、前記第１のダクト及び第２のダクトは上下方向に延設されており、
該第１のダクトの上端が前記冷風吹出口に連通すると共に下端がロータンクカバー内に開放しており、
該第２のダクトの上端が前記通風口に連通すると共に下端が該ロータンクカバーの底面に設けられた底面温風吹出口に連通しており、
該第１のダクト及び第２のダクトの途中部分に前記熱電変換素子が設置されており、
前記の冷房運転と手乾燥運転とを切り替える手段は、冷房運転と手乾燥運転とを切り替えることが可能な構成となっていることに加え、前記エアヒータに通電し、前記第２の送風機を手乾燥運転のときとは逆通風方向に駆動し、該底面温風吹出口から温風を吹出す足許暖房運転に切り替えることが可能な構成となっていることを特徴とするトイレ用空調機。
【発明の詳細な説明】
【０００１】
【発明の属する技術分野】
本発明は、便器使用者に向けて冷風を吹き出すことが可能なトイレ用空調機に係り、特にペルチエ素子等の熱電変換素子を備えたトイレ用空調機に関する。
【０００２】
【従来の技術】
エアコンのように冷媒の圧縮・膨張サイクルを利用した空調機に比べてコンパクト化が可能であるトイレ用空調機として、ペルチエ素子等の熱電変換素子を用いたトイレ用空調機が特開平６−３４１５１号、特開平７−３２７８６９号及び特開平９−２１１５９号に記載されている。
【０００３】
この熱電変換素子にあっては、冷熱面から放熱面へ移動させた熱を該放熱面から放出させる必要がある。
【０００４】
上記特開平６−３４１５１号ではトイレのロータンク内の水に熱を放出している。上記特開平７−３２７８６９号及び特開平９−２１１５９号では、熱を水道水に放出し、この水道水を便器に排出している。
【０００５】
【発明が解決しようとする課題】
ロータンク内の水に熱を放出させる場合、ロータンク内の水が暖まってくると冷房効率が極端に低下する。水道水に放熱して該水道水を便器に捨てるのでは、水道水が全く無駄になってしまう。
【０００６】
本発明は上記問題点を解決し、コンパクトで無駄のないトイレ用空調機を提供することを目的とする。
【０００７】
【課題を解決するための手段】
本発明（請求項１）のトイレ用空調機は、便器使用者に向けて冷風を吹出すための冷風吹出口と、該冷風吹出口に連なる第１のダクトと、該第１のダクト内に冷熱面を配置した熱電変換素子と、該第１のダクトに通風させるための第１の送風機と、該熱電変換素子の放熱面が内部に配置されており、通風口をトイレルームに臨ませている第２のダクトと、該第２のダクトに通風させるための第２の送風機とを有するトイレ用空調機であって、前記第２のダクトにエアヒータが設けられており、前記通風口は足許暖房用の温風吹出口となっており、前記第１及び第２の送風機を駆動し、前記熱電変換素子に通電し、エアヒータは非通電とする冷房運転と、前記第２の送風機を駆動し、前記エアヒータに通電する暖房運転とを切り替える手段を備えたことを特徴とするものである。
請求項２のトイレ用空調機は、請求項１において、ダクトがロータンクカバー内を上下方向に延設されており、該ダクトの高さ方向の途中に空気取入口が開口しており、該ダクト内に該空気取入口に隣接して前記熱電交換素子が設けられており、該ダクトのうち該熱電交換素子よりも上側が前記第１のダクトとなり、該ダクトのうち該熱電交換素子よりも下側が前記第２のダクトとなっており、前記冷風吹出口が手洗鉢に設けられ、該冷風吹出口に該第１のダクトの上端が連なっており、該第２のダクトの下端が前記温風吹出口に連なっており、冷房運転において、前記の冷房運転と暖房運転とを切り替える手段が、該第１及び第２の送風機を駆動し、前記熱電変換素子に通電し、エアヒータを非通電とすることにより、該冷風吹出口から冷風が吹出し、暖房運転において、該冷房運転と暖房運転とを切り替える手段が、該第２の送風機を冷房運転のときとは逆通風方向に駆動し、該エアヒーターに通電することにより、該温風吹出口から温風が吹出すことを特徴とするものである。
本発明（請求項３）のトイレ用空調機は、便器使用者に向けて冷風を吹出すための冷風吹出口と、該冷風吹出口に連なる第１のダクトと、該第１のダクト内に冷熱面を配置した熱電変換素子と、該第１のダクトに通風させるための第１の送風機と、該熱電変換素子の放熱面が内部に配置されており、通風口をトイレルームに臨ませている第２のダクトと、該第２のダクトに通風させるための第２の送風機とを有するトイレ用空調機であって、前記第２のダクトにエアヒータが設けられており、前記通風口は手の乾燥用の吹出口及び空気の取入口を兼ねており、前記第１及び第２の送風機を駆動し、前記熱電変換素子に通電し、エアヒータは非通電とし、前記冷風吹出口から冷風を吹出し前記通風口からは空気を取入れる冷房運転と、前記第２の送風機を冷房運転のときとは逆通風方向に駆動し、前記エアヒータに通電し、前記通風口から温風を吹出す手乾燥運転とを切り替える手段を備えたことを特徴とするものである。
請求項４のトイレ用空調機は、請求項３において、前記第１のダクト及び第２のダクトは上下方向に延設されており、該第１のダクトの上端が前記冷風吹出口に連通すると共に下端がロータンクカバー内に開放しており、該第２のダクトの上端が前記通風口に連通すると共に下端が該ロータンクカバーの底面に設けられた底面温風吹出口に連通しており、該第１のダクト及び第２のダクトの途中部分に前記熱電変換素子が設置されており、前記の冷房運転と手乾燥運転とを切り替える手段は、冷房運転と手乾燥運転とを切り替えることが可能な構成となっていることに加え、前記エアヒータに通電し、前記第２の送風機を手乾燥運転のときとは逆通風方向に駆動し、該底面温風吹出口から温風を吹出す足許暖房運転に切り替えることが可能な構成となっていることを特徴とするものである。
【０００８】
かかる本発明のトイレ用空調機では、吹出口から冷風を便器使用者に向けて吹出すので、便器使用者に涼感を与えることができる。一般に、便器使用者のトイレルーム内滞留時間は短いので、顔や首筋に冷風を吹き付けるだけで相当の涼感を得ることができる。また、顔や首筋に冷風を吹き付けるようにすれば、少量の冷風を吹出すだけで足り、エネルギー消費が少ない。
【０００９】
このトイレ用空調機では、冷房時の排熱はトイレルーム内の空気に排出されるが、排熱量は少ないのでトイレルーム内の気温の上昇は殆どなく、便器使用者には実質的に冷風による涼感のみが感取される。
【００１０】
本発明では、第２のダクトにエアーヒータを設け、トイレルームの暖房運転を行うよう構成する。
【００１１】
請求項１では、通風口を足許暖房用の温風吹出口とする。そして、第１及び第２の送風機を駆動し、前記熱電変換素子に通電し、エアヒータは非通電とする冷房運転と、第２の送風機を駆動し、前記エアヒータに通電する暖房運転とを切り替える手段を設ける。
【００１２】
かかる構成によれば、冷房運転時には放熱ファンとして動作する送風機を利用して暖房運転が実行されるので、電気エネルギーの利用効率が高い。
【００１３】
請求項３では、通風口を手の乾燥用の吹出口及び空気の取入口を兼ねるようにしている。そして、第１及び第２の送風機を駆動し、前記熱電変換素子に通電し、エアヒータは非通電とし、前記冷風吹出口から冷風を吹出し通風口からは空気を取入れる冷房運転と、第２の送風機を冷房運転のときとは逆通風方向に駆動し、エアヒータに通電し、通風口から温風を吹出す手乾燥運転とを切り替える手段を設置する。これにより、手乾燥運転を行うことも可能である。
【００１４】
【発明の実施の形態】
以下、図面を参照して実施の形態について説明する。図１は実施の形態に係る手洗い乾燥装置を備えた洋風便器設備の斜視図、図２はこの手洗い乾燥装置の概略的な縦断面図である。
【００１５】
この洋風便器設備は、ロータンクを覆うロータンクカバーを備えたコンソール型洋風便器設備と称されるものであり、洋風便器１０の後部上面にロータンクカバー１２が設置され、このロータンクカバー１２内にロータンク１３（図面を明瞭にするために図１では図示略）が設置されている。このロータンク１３内へは止水栓１４、サプライ管１６及びボールタップ１８を介して水が供給される。ロータンクの底部の放水口にフロート弁２０が設けられている。
【００１６】
ロータンクカバー１２に取り付けられた洗浄ハンドル２２又は電動装置２３により、玉鎖２４を介して該フロート弁２０が引き上げられ、ロータンク１３内の水が洋風便器１０の便鉢へ放出される。ロータンク１３内の水のほぼ全量が放出されると、フロート弁２０が着座し、ロータンク１３内に水が再び貯留される。なお、ロータンク１３内の水位が低下すると、ボールタップ１８に連結された浮玉２６が下方移動し、ボールタップ１８が開栓し、ロータンク内にボールタップ１８から注水される。
【００１７】
このボールタップ１８からはホース２８が分岐しており、このホース２８から電磁弁２８ｖを介して手洗吐水器３０へ給水される。
【００１８】
ロータンクカバー１２の上面部は、着脱自在な手洗鉢３２となっており、この手洗鉢３２から該手洗吐水器３０が立設されている。電磁弁２８ｖが開弁すると、手洗吐水器３０の吐水口５６から吐水が開始し、電磁弁２８ｖが閉弁すると該吐水口５６からの吐水が停止する。手洗吐水器３０から吐水している間に手を洗うことができる。
【００１９】
手洗鉢３２の底部には排水口３２ａが設けられており、手洗鉢３２内に落下した水はこの排水口３２ａからロータンク１３内に落下する。
【００２０】
なお、この実施の形態にあっては、ボールタップ１８からロータンク１３内に放出する水をフレキシブルなサービスタンク３４に溜め、このサービスタンク３４内の清水を人体臀部の温水洗浄装置（図示略）に供給するようにしている。サービスタンク３４内が満水になると、サービスタンク３４から溢れた水がロータンク１３内に貯留される。
【００２１】
ロータンクカバー１２の前面側に便座３６と便蓋３８とが上下方向回動可能に取り付けられている。
【００２２】
手洗鉢３２には吹出口４０が設けられており、ダクト４２を介して送られてくる冷風を吹出し可能としている。この吹出口４０は、手洗鉢３２の後部壁の前面に設けられており、前方に向って風を吹出すようにしている。この吹出口４０の吹出方向の前方には、便座３６に着座した人の頭部ないし首又は上肩部が位置することになる。
【００２３】
このダクト４２はロータンクカバー１２内を上下方向に延設されている。このダクト４２の高さ方向の途中に空気取入口４４が開口しており、ダクト４２内にはこの空気取入口４４に隣接して熱電変換素子４６が設けられている。熱電変換素子４６は、上方に向けて突設された多数の受熱用のフィンよりなる冷熱面４６ａと、下方に向けて突設された多数の放熱用フィンよりなる放熱面４６ｂを備えている。
【００２４】
この熱電変換素子４６の上方に第１の送風機４８が設けられ、熱電変換素子４６の下方に第２の送風機５０が設けられている。第２の送風機５０の下側にエアヒータ５２が設けられている。ダクト４２の下端は、ロータンクカバー１２の底面から下方に向って開放した通風口（温風吹出口）５４となっている。
【００２５】
なお、手洗吐水器３０の吐水口５６下方に差し出された手を検知するための近接センサ５８のほかに、図示はしないが、トイレルームの気温を検知する温度センサ、便器３６への着座を検知する着座センサ、温水洗浄装置を操作するためのスイッチ等の各種スイッチが設けられている。近接センサ５８は、赤外線センサなどの他、タッチ式の静電容量センサや単なるスイッチでも良い。
【００２６】
このように構成された手洗い乾燥装置において、トイレルーム内の気温が所定温度以上の高温時に便座３６への着座が検知されると、熱電変換素子４６に通電されると共に、送風機４８，５０が作動する。これにより、空気取入口４４から取り入れられた空気が冷熱面４６ａで冷却され、吹出口４０から冷風が吹出す。吹出口４０から吹出した冷風が便器使用者の頭や首筋、上肩などに当ることにより涼感が得られる。
【００２７】
熱電変換素子４６にあっては、冷熱面４６ａ側から放熱面４６ｂ側へ熱を移動させ、この熱が空気に伝わり、温風が排風口５４から吹出す。なお、この温風は、温度がさほど高くなく、また、風量も少ないので、トイレルーム内の気温を殆ど上昇させない。従って、便座の着座者は、専ら冷風吹付による涼感のみを享受するようになる。
【００２８】
便器使用者が便座３６から立ち上ると、熱電変換素子４６への通電が停止すると共に、送風機４８，５０も停止する。
【００２９】
トイレルーム内の気温が予め設定された温度よりも低いときに便座３６への着座が検知されると、送風機５０が作動すると共にエアヒータ５２に通電され、排風口５４から温風が吹出す。これにより、便器使用者の足許暖房が行われる。
【００３０】
図３は別の実施の形態に係るトイレ用空調機を備えたロータンクの概略的な縦断面図である。
【００３１】
この実施の形態では、冷風吹出口４０に連なるダクト６２と、手洗乾燥吹出口６０に連なるダクト６４とが設けられている。
【００３２】
ダクト６２，６４の途中部分に熱電変換素子４６が設置され、該熱電変換素子４６の冷熱面４６ａがダクト６２内に臨み、放熱面４６ｂがダクト６４内に臨んでいる。
【００３３】
ダクト６２の熱電変換素子４６よりも下方に送風機６６が設けられている。ダクト６２の下端はロータンクカバー１２内に開放している。
【００３４】
ダクト６４の熱電変換素子４６よりも下方にエアヒータ６８及び送風機７０が設けられている。この送風機７０は送風方向を反転しうるものとなっている。ダクト６４の下端はロータンクカバー１２の底面の温風吹出口５４に連通している。
【００３５】
手洗吐水器３０には、前記吐水口５６及び乾燥吹出口６０のほかに、該乾燥吹出口６０の下方に差し出された手を検知するセンサ５８ａと、吐水口５６の下方に差し出された手を検知するセンサ５８ｂとが設けられている。なお、乾燥吹出口６０は吐水口５６よりも前方に配置されている。
【００３６】
このように構成されたトイレ用空調機において、気温の高い時に便座への着座が検知されると、熱電変換素子４６に通電が行われると共に、送風機６６，７０が作動する。この場合、送風機７０は、空気を乾燥吹出口６０から取り入れ温風吹出口５４から吹出すように作動する。エアヒータ６８へは通電されない。これにより、吹出口４０から冷風が吹出す。便器使用者が便座から立ち上ると、この冷風吹出動作は停止する。
【００３７】
手洗吐水器３０の下方に手が差し出されると、手がセンサ５８ａ，５８ｂの双方で検知された段階で吐水口５６から吐水が開始する。続いて手が少し後退しセンサ５８ａのみが手を検知するようになると、吐水口５６からの吐水は停止し、代りに乾燥吹出口６０から温風が吹出す。この場合、エアヒータ６８に通電が行われると共に、送風機７０は温風吹出口７０から空気を取入れ乾燥吹出口６０から空気を吹出すように動作する。なお、この場合、熱電変換素子４６へは通電しない。ただし、送風機６６を反転させ冷風吹出口４０から空気を取入れ、且つ熱電変換素子４６に通電し、熱電変換素子４６によって、ダクト６４内の空気を加熱するようにしてもよい。
【００３８】
センサ５８ａが手を検知しなくなると、この手乾燥動作が停止する。
【００３９】
トイレルーム内の気温が低いときに便座への着座が検知されると、エアヒータ６８に通電が行われると共に、送風機７０は乾燥吹出口６０から空気を取り入れ温風吹出口５４から温風を吹出すように動作し、便器使用者の足許暖房が行われる。
【００４０】
便器使用者が便座から立ち上ると、この足許暖房運転が停止する。その後、手洗吐水器３０の下方に手が差し出された場合の吐水及び乾燥動作は上記の気温が高い場合と同じである。
【００４１】
【発明の効果】
以上の通り、本発明のトイレ用空調機によると、比較的簡易な構成により便器使用者に十分な涼感を与える冷房運転を行うことができると共に、足許暖房などの暖房運転も可能である。本発明によると、手の温風による乾燥を行うよう構成することも可能である。
【図面の簡単な説明】
【図１】実施の形態に係るトイレ用空調機を備えた洋風便器を示す斜視図である。
【図２】図１の洋風便器の概略的な縦断面図である。
【図３】別の実施の形態を示す概略的な縦断面図である。
【符号の説明】
１０  洋風便器
１２  ロータンクカバー
１８  ボールタップ
２２  洗浄ハンドル
３０  手洗吐水器
３２  手洗鉢
４０  冷風吹出口
４２  ダクト
４４  空気取入口
４６  熱電変換素子
４６ａ  冷熱面
４６ｂ  放熱面
５０  送風機
５２  エアヒータ
５４  温風吹出口
５６  吐水口
５８，５８ａ，５８ｂ  センサ
６０  乾燥吹出口
６２，６４  ダクト
６６，７０  送風機
６８  エアヒータ
【図１】
0004345222.tif 000002
【図２】
0004345222.tif 000003
【図３】
0004345222.tif 000004